【事件の表示】
　特願２０１６−　５５８００号「車両」拒絶査定不服審判事件〔平成２９年　９月２８日出願公開、特開２０１７−１７０９３１号〕について、次のとおり審決する。
【結　論】
　本件審判の請求は、成り立たない。
【理　由】
第１　手続の経緯
　本願は、平成２８年３月１８日を出願日とする特許出願であって、その後の手続の概要は、以下の通りである。
　平成２９年　６月２９日付け：拒絶理由通知
　平成２９年　８月２９日　　：意見書
　平成２９年１１月１０日付け：拒絶理由通知
　平成３０年　６月２７日付け：拒絶査定
　平成３０年１０月　２日　　：審判請求
　平成３０年１０月　２日　　：手続補正書（以下、この手続補正書による手続補正を「本件補正」という。）
第２　本件補正について
１　本件補正の内容
（１）本願の出願当初の願書に添付された（以下「本件補正前」という。）特許請求の範囲の請求項１〜１２は、以下のとおりである。
「【請求項１】
　車体フレームと、
　前記車体フレームの左右方向に並んで設けられた右前輪および左前輪と、
　前記右前輪にブレーキ力を付与可能な右ブレーキ装置と、
　前記左前輪にブレーキ力を付与可能な左ブレーキ装置と、
　運転者が把持するためのグリップ部と、
　前記グリップ部に入力された操舵力を前記右前輪および前記左前輪に伝達する操舵力伝達機構と、を有し、
　前記操舵力伝達機構は、
　　前記車体フレームの上下方向に延びる中間操舵軸線回りに回動可能なステアリングシャフトと、
　　前記ステアリングシャフトの上部に設けられたハンドルバーと、
　　前記ステアリングシャフトの回動を前記右前輪および前記左前輪に伝達するタイロッドと、を有し、
　前記ハンドルバーの少なくとも一方の端部に、前記右ブレーキ装置および前記左ブレーキ装置の少なくとも一方を操作するブレーキ操作子と、前記グリップ部とが設けられており、
　前記右前輪と路面との間に生じる摩擦力と前記左前輪と路面との間に生じる摩擦力との相違に起因する振動が前記グリップ部に伝達されることを抑制するゴム部品が、前記操舵力伝達機構に設けられている、車両。
【請求項２】
　下部で前記右前輪を回転可能に支持し、かつ、前記右前輪を上部に対して相対変位可能に支持する右緩衝装置と、
　下部で前記左前輪を回転可能に支持し、かつ、前記左前輪を上部に対して相対変位可能に支持する左緩衝装置と、
　を有する、請求項１に記載の車両。
【請求項３】
　前記車体フレームの前後方向に延びるリンク軸線回りに回動可能に前記車体フレームに支持されたクロス部材を有し、前記車体フレームの上下方向について前記右前輪と前記左前輪を前記車体フレームに対して相対変位可能に支持することにより、前記車体フレームを右旋回時に前記車両の右方に傾斜させ左旋回時に前記車両の左方に傾斜させるリンク機構を有する、請求項１または２に記載の車両。
【請求項４】
　前記リンク機構は、
　　前記クロス部材の右部で前記車体フレームの前後方向に延びる右軸線回りに回動可能に支持され、前記車体フレームの上下方向に延びる右操舵軸線回りに前記右前輪を回動可能に支持する右サイド部材と、
　　前記クロス部材の左部で前記右軸線と平行な左軸線回りに回動可能に支持され、前記右操舵軸線と平行な左操舵軸線回りに前記左前輪を回動可能に支持する左サイド部材と、を有する、請求項３に記載の車両。
【請求項５】
　前記操舵力伝達機構は、一端が前記ステアリングシャフトに固定されて、他端が前記タイロッドと回動可能に連結されたピットマンアームを有し、
　前記ゴム部品は、前記タイロッドと前記ピットマンアームとの間に設けられ、前記グリップ部に入力された操舵力が前記ゴム部品を介して前記ピットマンアームから前記タイロッドに伝達されるように構成されている、請求項１から４のいずれか一項に記載の車両。
【請求項６】
　前記車体フレームは、前記ステアリングシャフトが挿通されるヘッドパイプを有し、
　前記ゴム部品は、前記ヘッドパイプと前記ステアリングシャフトの間に設けられている
、請求項１から４のいずれか一項に記載の車両。
【請求項７】
　前記ゴム部品は、前記ハンドルバーと前記ステアリングシャフトの間に設けられ、前記グリップ部に入力された操舵力が前記ゴム部品を介して前記ハンドルバーから前記ステアリングシャフトに伝達されるように構成されている、請求項１から４のいずれか一項に記載の車両。
【請求項８】
　前記ゴム部品は、
　　金属製の環状または筒状のアウタ部材と、
　　前記アウタ部材の内側に設けられた金属製のインナ部材と、
　　前記アウタ部材と前記インナ部材との間の空間の少なくとも一部を埋めて前記アウタ部材と前記インナ部材とに結合されたゴム部と、を有し、
　前記インナ部材および前記アウタ部材が弾性変形することにより、前記インナ部材と前記アウタ部材とが相対変位可能とされている、請求項１から７のいずれか一項に記載の車両。
【請求項９】
　前記インナ部材および前記アウタ部材は前記車体フレームの上下方向に延びており、
　前記ゴム部が弾性変形することより、前記アウタ部材と前記インナ部材とが相対変位可能とされている、請求項８に記載の車両。
【請求項１０】
　前記ゴム部が弾性変形することにより、前記アウタ部材と前記インナ部材とが、前記車体フレームの前後方向に相対変位可能とされている、請求項９に記載の車両。
【請求項１１】
　前記ゴム部が弾性変形することにより、前記アウタ部材と前記インナ部材とが、前記車体フレームの前後方向および前記車体フレームの左右方向に相対変位可能とされている、請求項９に記載の車両。
【請求項１２】
　前記右緩衝装置は、前記車体フレームの上下方向に延びる右伸縮軸線方向に前記右前輪を上部に対して相対変位可能に支持し、
　前記左緩衝装置は、前記右伸縮軸線と平行な左伸縮軸線方向に前記左前輪を上部に対して相対変位可能に支持し、
　前記ゴム部品の前記ゴム部が弾性変形することにより、前記インナ部材と前記アウタ部材とが、前記右伸縮軸線に沿った軸線回りに相対変位可能とされている、請求項８から１１のいずれか一項に記載の車両。」
（２）本件補正後の特許請求の範囲の請求項１〜請求項１２は、以下のとおりである。（下線は、当審で付した。以下同様。）
「【請求項１】
　車体フレームと、
　前記車体フレームの左右方向に並んで設けられた右前輪および左前輪と、
　前記右前輪にブレーキ力を付与可能な右ブレーキ装置と、
　前記左前輪にブレーキ力を付与可能な左ブレーキ装置と、
　運転者が把持するためのグリップ部と、
　前記グリップ部に入力された操舵力を前記右前輪および前記左前輪に伝達する操舵力伝達機構と、を有し、
　前記操舵力伝達機構は、
　　前記車体フレームの上下方向に延びる中間操舵軸線回りに回動可能なステアリングシャフトと、
　　前記ステアリングシャフトの上部に設けられたハンドルバーと、
　　前記ステアリングシャフトの回動を前記右前輪および前記左前輪に伝達するタイロッドと、を有し、
　前記ハンドルバーの少なくとも一方の端部に、前記右ブレーキ装置および前記左ブレーキ装置の少なくとも一方を操作するブレーキ操作子と、前記グリップ部とが設けられており、
　前記右前輪と路面との間に生じる摩擦力と前記左前輪と路面との間に生じる摩擦力との相違に起因する振動が前記グリップ部に伝達されることを抑制するゴム部品が、前記操舵力伝達機構に設けられている、車両。
【請求項２】
　下部で前記右前輪を回転可能に支持し、かつ、前記右前輪を上部に対して相対変位可能に支持する右緩衝装置と、
　下部で前記左前輪を回転可能に支持し、かつ、前記左前輪を上部に対して相対変位可能に支持する左緩衝装置と、
　を有する、請求項１に記載の車両。
【請求項３】
　前記車体フレームの前後方向に延びるリンク軸線回りに回動可能に前記車体フレームに支持されたクロス部材を有し、前記車体フレームの上下方向について前記右前輪と前記左前輪を前記車体フレームに対して相対変位可能に支持することにより、前記車体フレームを右旋回時に前記車両の右方に傾斜させ左旋回時に前記車両の左方に傾斜させるリンク機構を有する、請求項１または２に記載の車両。
【請求項４】
　前記リンク機構は、
　　前記クロス部材の右部で前記車体フレームの前後方向に延びる右軸線回りに回動可能に支持され、前記車体フレームの上下方向に延びる右操舵軸線回りに前記右前輪を回動可能に支持する右サイド部材と、
　　前記クロス部材の左部で前記右軸線と平行な左軸線回りに回動可能に支持され、前記右操舵軸線と平行な左操舵軸線回りに前記左前輪を回動可能に支持する左サイド部材と、を有する、請求項３に記載の車両。
【請求項５】
　前記操舵力伝達機構は、一端が前記ステアリングシャフトに固定されて、他端が前記タイロッドと回動可能に連結されたピットマンアームを有し、
　前記ゴム部品は、前記タイロッドと前記ピットマンアームとの間に設けられ、前記グリップ部に入力された操舵力が前記ゴム部品を介して前記ピットマンアームから前記タイロッドに伝達されるように構成されている、請求項１から４のいずれか一項に記載の車両。
【請求項６】
　前記車体フレームは、前記ステアリングシャフトが挿通されるヘッドパイプを有し、
　前記ゴム部品は、前記ヘッドパイプと前記ステアリングシャフトの間に設けられている
、請求項１から４のいずれか一項に記載の車両。
【請求項７】
　前記ゴム部品は、前記ハンドルバーと前記ステアリングシャフトの間に設けられ、前記グリップ部に入力された操舵力が前記ゴム部品を介して前記ハンドルバーから前記ステアリングシャフトに伝達されるように構成されている、請求項１から４のいずれか一項に記載の車両。
【請求項８】
　前記ゴム部品は、
　　金属製の環状または筒状のアウタ部材と、
　　前記アウタ部材の内側に設けられた金属製のインナ部材と、
　　前記アウタ部材と前記インナ部材との間の空間の少なくとも一部を埋めて前記アウタ部材と前記インナ部材とに結合されたゴム部と、を有し、
　前記インナ部材および前記アウタ部材が弾性変形することにより、前記インナ部材と前記アウタ部材とが相対変位可能とされている、請求項１から７のいずれか一項に記載の車両。
【請求項９】
　前記インナ部材および前記アウタ部材は前記車体フレームの上下方向に延びており、
　前記ゴム部が弾性変形することより、前記アウタ部材と前記インナ部材とが相対変位可能とされている、請求項８に記載の車両。
【請求項１０】
　前記ゴム部が弾性変形することにより、前記アウタ部材と前記インナ部材とが、前記車体フレームの前後方向に相対変位可能とされている、請求項９に記載の車両。
【請求項１１】
　前記ゴム部が弾性変形することにより、前記アウタ部材と前記インナ部材とが、前記車体フレームの前後方向および前記車体フレームの左右方向に相対変位可能とされている、請求項９に記載の車両。
【請求項１２】
　下部で前記右前輪を回転可能に支持し、かつ、前記右前輪を上部に対して相対変位可能に支持する右緩衝装置と、
　下部で前記左前輪を回転可能に支持し、かつ、前記左前輪を上部に対して相対変位可能に支持する左緩衝装置と、
　を有し、
　前記右緩衝装置は、前記車体フレームの上下方向に延びる右伸縮軸線方向に前記右前輪を上部に対して相対変位可能に支持し、
　前記左緩衝装置は、前記右伸縮軸線と平行な左伸縮軸線方向に前記左前輪を上部に対して相対変位可能に支持し、
　前記ゴム部品の前記ゴム部が弾性変形することにより、前記インナ部材と前記アウタ部材とが、前記右伸縮軸線に沿った軸線回りに相対変位可能とされている、請求項８から１１のいずれか一項に記載の車両。」
２　補正の適否について
　本件補正は、本件補正前の特許請求の範囲における請求項１２について補正しようとするものであるところ、本件補正後の請求項１２に追加された事項は、以下第３に示す原査定の拒絶の理由における[理由２]（特許法第３６条第６項第２号）に示されるとおり、本件補正前の請求項１２が請求項２を引用しない場合に、「前記右緩衝装置」と「前記左緩衝装置」が指し示すものが不明確となるのを、本件補正後の請求項１２において上記１（２）に示すとおり、請求項２に特定された「右緩衝装置」と「左緩衝装置」と同様の事項を特定することにより、明確とすることを意図したものといえる。
　そうしてみると、本件補正は、本件補正前の請求項１２を本件補正後の請求項１２にすることで拒絶理由通知に係る拒絶の理由に示す事項について明りょうでない記載の釈明をしたものであるから、本件補正は、特許法第１７条の２第５項第４号に掲げる、拒絶理由通知に係る拒絶の理由に示す事項についてする、明りょうでない記載の釈明を目的とする補正である。
　したがって、請求項１２に係る本件補正は適法になされたものである。
第３　原査定の拒絶の理由
　原査定の拒絶の理由は、平成２９年１１月１０日付けの拒絶理由通知における拒絶の理由であり、以下の２つの理由を含むものである。
[理由１]
　本願の請求項１〜４、６〜１２に係る発明は、その出願前に日本国内又は外国において、頒布された又は電気通信回線を通じて公衆に利用可能となった以下の引用文献１、２に記載された発明に基いて、その出願前にその発明の属する技術の分野における通常の知識を有する者が容易に発明をすることができたものであるから、特許法第２９条第２項の規定により特許を受けることができない。
引用文献１．特開２０１５−１１０４０８号公報
引用文献２．特開昭５７−１１１７８号公報
[理由２]
　本願は、特許請求の範囲が以下の点で、特許法第３６条第６項第２号に規定する要件を満たしていない。
　請求項１２には「前記右緩衝装置は、前記車体フレームの上下方向に」との記載があるが、この記載に対応する「右緩衝装置」の記載は、選択的に引用される請求項２にしか存在せず、請求項１２が請求項２を引用しない場合に、「前記右緩衝装置」が指し示すものが不明確となる。
　また、請求項１２には「前記左緩衝装置は、前記右伸縮軸線と平行な」との記載もあるが、この記載に対応する「左緩衝装置」の記載は、選択的に引用される請求項２にしか存在せず、請求項１２が請求項２を引用しない場合に、「前記左緩衝装置」が指し示すものが不明確となる。
　よって、請求項１２に係る発明は明確でないから、本願の特許請求の範囲は、特許法第３６条第６項第２号に掲げる、特許を受けようとする発明が明確であること、なる要件を満たしていない。
第４　当審の判断
［理由１（特許法第２９条第２項）について］
１．引用文献の記載事項及び引用発明
（１）引用文献１
ア．原査定の拒絶の理由において引用された引用文献１には、図面とともに次の事項が記載されている。
（１ａ）「【発明の詳細な説明】
【技術分野】
【０００１】
　本発明は、
傾斜可能な車体フレーム、２つの前輪および１つの後輪を備える車両用ブレーキシステムおよび車両に関する
（１ｂ）「【００２０】
　本発明は、傾斜可能な車体フレーム、２つの前輪および１つの後輪を備えた車両に採用可能であり、従来採用されている３つの種類のブレーキシステムとは異なる作動のブレーキシステムを提供することを目的とする。本発明は、
従来採用されている３つの種類のブレーキシステムとは異なる作動のブレーキシステムと、傾斜可能な車体フレーム、２つの前輪および１つの後輪を備えた車両を提供すること
（１ｃ）「【００４９】
〈第１の実施形態の全体構成〉
　図１は、車両を車体フレームの左右方向の左方から見た全体側面図を示す。
　図１に示すように、車両１００１は、車両本体部１００２を備えている。車両１００１は、左右一対の前輪１００３を備えている。車両１００１は、中央後輪１００４を備えている。
車両１００１は、操舵機構１００７を備えて
・・・
【００５７】
〈操舵機構〉
　図２は、図１の車両１００１の前部を正面から見た正面図である。図２は、車体フレーム１０２１が直立状態の車両１００１を前方から見た図である。図３は、図１の車両１００１の前部を上方から見た平面図である。図３は、車体フレーム１０２１が直立状態の車両１００１を上方から見た図である。図２および図３では、車体カバー１０２２を透過させた状態で図示している。
　図２および図３に示すように、
操舵機構１００７は、操舵力伝達機構１００６
を有する
【００５８】
　左右一対の前輪１００３は、左前輪１０３１および右前輪１０３２を含んでいる。左前輪１０３１は、車体フレーム１０２１の一部であるダウンフレーム１２１２の車体フレーム１０２１の左右方向の左方に配置されている。右前輪１０３２は、車体フレーム１０２１の一部であるダウンフレーム１２１２の車体フレーム１０２１の左右方向の右方に配置されている。車体フレーム１０２１が直立状態の車両１００１を前方から見て、左前輪１０３１および右前輪１０３２は、車体フレーム１０２１の左右方向に並べて配置されている。また、左前輪１０３１の上方には、左フロントフェンダー１２２７が配置されている。右前輪１０３２の上方には、右フロントフェンダー１２２８が配置されている。左前輪１０３１は左緩衝器１０３３に支持されている。右前輪１０３２は右緩衝器１０３４に支持されている。
【００５９】
　左緩衝器１０３３は、いわゆるテレスコピック式の緩衝器であり、支持する左前輪１０３１が路面から受ける荷重による振動を減衰させるものである。
左緩衝器１０３３は、左下部１０３３ａ
を有
左前輪１０３１は左下部１０３３ａに支持され
・・・
【００６１】
　右緩衝器１０３４は、いわゆるテレスコピック式の緩衝器であり、支持する右前輪１０３２が路面から受ける荷重による振動を減衰させるものである。
右緩衝器１０３４は、右下部１０３４ａ
を有
右前輪１０３２は右下部１０３４ａに支持されている
・・・
【００６３】
　車体フレーム１０２１が直立状態の車両１００１を前方から見て、操舵力伝達機構１００６は、左前輪１０３１および右前輪１０３２より上方に配置されている。
操舵力伝達機構１００６は、乗員の操舵力を入力する部材として、操舵部材１０２８を備え
操舵部材１０２８は、ステアリングシャフト１０６０と、ステアリングシャフト１０６０の上部に連結されたハンドルバー１０２３とを有する
ステアリングシャフト１０６０は、その一部がヘッドパイプ１２１１に回転可能に支持されている
ステアリングシャフト１０６０の回転軸線は、車体フレーム１０２１の後方かつ上方に延びる
【００６４】
　
操舵力伝達機構１００６は
タイロッド１０６７、左ブラケット１３１７および右ブラケット１３２７を有する
操舵力伝達機構１００６は、乗員がハンドルバー１０２３を操作する操舵力を、左ブラケット１３１７および右ブラケット１３２７に伝達する。
・・・
【００７５】
　図４に示すように、ハンドルバー１０２３が回されると、操舵機構１００７の操舵力伝達機構１００６が動作し、操舵動作が行われる。
　例えば、
ステアリングシャフト１０６０が
回転すると
タイロッド１０６７が
移動
タイロッド１０６７の
移動に伴って
左ブラケット１３１７および右ブラケット１３２７が
回転する
左ブラケット１３１７および右ブラケット１３２７が
回転すると
左前輪１０３１が左中心軸Ｙ１
を中心として回転し
右前輪１０３２が右中心軸Ｙ２
を中心として回転する
・・・
【０１１０】
＜第１実施形態の詳細説明＞
　図８Ａ、図８Ｂ、図８Ｃおよび図８Ｄは、車体フレームの上下方向の上方から見た車両と車輪の前後方向の位置を示す説明図である。以降の説明では、便宜的に、図８Ａから図８Ｄをまとめて図８と呼ぶことがある。図８Ａに示した（ａ）は、車体フレームが直立状態の車両を示している。このとき、右前輪、左前輪および中央後輪の各ブレーキは作動していない。図８Ａから図８Ｄに示した（ｂ）から（ｆ）は、車体フレームを車両の左右方向の左方に傾斜させて旋回している車両を示している。なお、図８の理解を容易にするために、（ｂ）を図８Ａと図８Ｂの両方に示し、（ｃ）を図８Ｂと図８Ｃの両方に示した。
【０１１１】
　図８Ａの（ａ）は、車体フレームが直立状態の車両を示している。このとき、右前輪、左前輪および中央後輪の各ブレーキは作動していない。
車両１００１は、ブレーキシステム１７０２を備えて
車両１００１は、車体フレーム１０２１を備えている。車両１００１は、車体フレーム１０２１が直立状態の車両１００１を前方から見て、車体フレーム１０２１の左右方向に並ぶ右前輪１０３２および左前輪１０３１を備えている。
に回転可能に車体フレーム１０２１に支持される。
ブレーキシステム１７０２は、右前輪１０３２に設けられ、右前輪１０３２の制動力を発生させる右前ブレーキ１０７２を含
ブレーキシステム１７０２は、左前輪１０３１に設けられ、左前輪１０３１の制動力を発生させる左前ブレーキ１０７１を含
ブレーキシステム１７０２は、車両１００１を運転する運転者が手で操作可能な入力部材１７５１を含
・・・
【０１１６】
　車両１００１は、ブレーキシステム１７０２を含む。ブレーキシステム１７０２は、入力部材１７５１を含む。ブレーキシステム１７０２は、ブレーキ作動装置１７５６を含む。ブレーキ作動装置１７５６は、前マスターシリンダー１７５３ｒを含む。
入力部材１７５１が運転者によって操作されると、前マスターシリンダー１７５３ｒは作動して液圧を発生
発生した液圧は、前ブレーキホース１７０４を介して液圧制御ユニット１７５５に伝えられ
液圧制御ユニット１７５５は、伝えられた液圧に応じた液圧を右キャリパ１７２２に右前ブレーキホース１７２４を介して伝え
右前ブレーキ１０７２は作動する
液圧制御ユニット１７５５は、伝えられた液圧に応じた液圧を左キャリパ１７１２に左ブレーキホース１７１４を介して伝え
左前ブレーキ１０７１は作動する
・・・
【０１３１】
　図１に示すように、液圧制御ユニット１７５５は、リンク機構１００５の車両１００１の前後方向の前方に配置されている。液圧制御ユニット１７５５は、ブラケットを介して車体フレーム１０２１に支持されている。なお、図１に示すように、液圧制御ユニット１７５５は、運転者が足を置くフートボードの下方の車体フレーム１０２１の間に配置しても良い。また、液圧制御ユニット１７５５は、運転者が着座するシート１０２４の下方に配置しても良い。液圧制御ユニット１７５５は、車体カバー１０２２の内方で車体フレーム１０２１の間に配置しても良い。
操舵機構１００７のハンドルバー１０２３は、車体フレーム１０２１の左右方向に延びる棒状に形成されて
ハンドルバー１０２３は、その右端部に運転者が把持する右グリップ１００７ｒを備え
ハンドルバー１０２３は、その左端部に運転者が把持する左グリップ１００７ｌを備えている
（１ｄ）引用文献１には、以下の図が示されている。
イ．以上の記載事項及び図面から、引用文献１には、次の事項が認定できる。
ａ．引用文献１に記載された技術は、傾斜可能な車体フレーム、２つの前輪および１つの後輪を備える車両用ブレーキシステムおよび車両に関するものであり（【０００１】）、従来採用されている３つの種類のブレーキシステムとは異なる作動のブレーキシステムと、傾斜可能な車体フレーム、２つの前輪および１つの後輪を備えた車両を提供することを課題としたものである（【００２０】）。
ｂ．車両１００１は、車体フレーム１０２１を備えている（【０１１１】）。
ｃ．車両１００１は、車体フレーム１０２１が直立状態の車両１００１を前方から見て、車体フレーム１０２１の左右方向に並ぶ右前輪１０３２および左前輪１０３１を備えている（【０１１１】）。
ｄ．車両１００１は、ブレーキシステム１７０２を備えており、ブレーキシステム１７０２は、右前輪１０３２に設けられ、右前輪１０３２の制動力を発生させる右前ブレーキ１０７２を含み、ブレーキシステム１７０２は、左前輪１０３１に設けられ、左前輪１０３１の制動力を発生させる左前ブレーキ１０７１を含む（【０１１１】）。
ｅ．車両１００１は、操舵機構１００７を備えており（【００４９】）、操舵機構１００７のハンドルバー１０２３は、車体フレーム１０２１の左右方向に延びる棒状に形成されており、ハンドルバー１０２３は、その右端部に運転者が把持する右グリップ１００７ｒを備え、ハンドルバー１０２３は、その左端部に運転者が把持する左グリップ１００７ｌを備えている（【０１３１】）。
ｆ．操舵機構１００７は、操舵力伝達機構１００６を有する（【００５７】）。
　また、操舵力伝達機構１００６は、乗員の操舵力を入力する部材として、操舵部材１０２８を備え（【００６３】）、さらに、タイロッド１０６７、左ブラケット１３１７および右ブラケット１３２７を有する（【００６４】）。さらに、操舵部材１０２８は、ステアリングシャフト１０６０と、ステアリングシャフト１０６０の上部に連結されたハンドルバー１０２３とを有する（【００６３】）。
　操舵力伝達機構１００６は、乗員がハンドルバー１０２３を操作する操舵力を、左ブラケット１３１７および右ブラケット１３２７に伝達する（【００６４】）。
　ステアリングシャフト１０６０が回転すると、タイロッド１０６７が移動し、タイロッド１０６７の移動に伴って、左ブラケット１３１７および右ブラケット１３２７が回転する（【００７５】）。
　さらに、左ブラケット１３１７および右ブラケット１３２７が回転すると、左前輪１０３１が左中心軸Ｙ１を中心として回転し、右前輪１０３２が右中心軸Ｙ２を中心として回転する（【００７５】）。
ｇ．上記摘記（１ｃ）における段落【００６３】の「ステアリングシャフト１０６０は、その一部がヘッドパイプ１２１１に回転可能に支持されている」、「ステアリングシャフト１０６０の回転軸線は、車体フレーム１０２１の後方かつ上方に延びる」との記載及び上記摘記（１ｄ）における図２のステアリングシャフト１０６０における左右方向の傾きを踏まえると、上記摘記（１ｄ）における図１には、以下の事項が示されているといえる。
「ステアリングシャフト１０６０の回転軸線は、車体フレーム１０２１の後方かつ上方に延び、さらに、車体フレーム１０２１の前後方向および左右方向と比較して、車体フレームの上下方向に近い傾きで延びている。」
ｈ．ブレーキシステム１７０２は、車両１００１を運転する運転者が手で操作可能な入力部材１７５１を含み（【０１１１】）、入力部材１７５１が運転者によって操作されると、前マスターシリンダー１７５３ｒは作動して液圧を発生し、発生した液圧は、前ブレーキホース１７０４を介して液圧制御ユニット１７５５に伝えられ、液圧制御ユニット１７５５は、伝えられた液圧に応じた液圧を右キャリパ１７２２に右前ブレーキホース１７２４を介して伝え、右前ブレーキ１０７２は作動するとともに、液圧制御ユニット１７５５は、伝えられた液圧に応じた液圧を左キャリパ１７１２に左ブレーキホース１７１４を介して伝え、左前ブレーキ１０７１は作動する（【０１１６】）。
ｉ．上記（１ｄ）に示すとおり、図２には、以下の事項が示されているといえる。
「入力部材１７５１がハンドルバー１０２３の端部に設けられる。」
ｊ．左緩衝器１０３３は、左下部１０３３ａを有し、左前輪１０３１は左下部１０３３ａに支持されており（【００５９】）、右緩衝器１０３４は、右下部１０３４ａを有し、右前輪１０３２は右下部１０３４ａに支持されている（【００６１】）。
ウ．上記ア．及びイ．から、引用文献１には、以下の発明（以下、「引用発明」という。）が記載されていると認められる。
＜引用発明＞
「車両１００１は、車体フレーム１０２１を備え、
　車両１００１は、車体フレーム１０２１が直立状態の車両１００１を前方から見て、車体フレーム１０２１の左右方向に並ぶ右前輪１０３２および左前輪１０３１を備えるとともに、
　車両１００１は、ブレーキシステム１７０２を備えており、ブレーキシステム１７０２は、右前輪１０３２に設けられ、右前輪１０３２の制動力を発生させる右前ブレーキ１０７２を含み、ブレーキシステム１７０２は、左前輪１０３１に設けられ、左前輪１０３１の制動力を発生させる左前ブレーキ１０７１を含むものであって、
　車両１００１は、操舵機構１００７を備えており、操舵機構１００７のハンドルバー１０２３は、車体フレーム１０２１の左右方向に延びる棒状に形成されており、ハンドルバー１０２３は、その右端部に運転者が把持する右グリップ１００７ｒを備え、ハンドルバー１０２３は、その左端部に運転者が把持する左グリップ１００７ｌを備えるものであり、
　操舵機構１００７は、操舵力伝達機構１００６を有し、
　操舵力伝達機構１００６は、乗員の操舵力を入力する部材として操舵部材１０２８を備え、さらに、タイロッド１０６７、左ブラケット１３１７および右ブラケット１３２７を有し、操舵部材１０２８は、ステアリングシャフト１０６０と、ステアリングシャフト１０６０の上部に連結されたハンドルバー１０２３とを有し、
　ステアリングシャフト１０６０の回転軸線は、車体フレーム１０２１の後方かつ上方に延び、さらに、車体フレーム１０２１の前後方向および左右方向と比較して、車体フレームの上下方向に近い傾きで延びており、
　操舵力伝達機構１００６は、乗員がハンドルバー１０２３を操作する操舵力を、左ブラケット１３１７および右ブラケット１３２７に伝達するものであって、
　ステアリングシャフト１０６０が回転すると、タイロッド１０６７が移動し、タイロッド１０６７の移動に伴って、左ブラケット１３１７および右ブラケット１３２７が回転し、
　さらに、左ブラケット１３１７および右ブラケット１３２７が回転すると、左前輪１０３１が左中心軸Ｙ１を中心として回転し、右前輪１０３２が右中心軸Ｙ２を中心として回転するものであり、
　ブレーキシステム１７０２は、車両１００１を運転する運転者が手で操作可能な入力部材１７５１を含み、入力部材１７５１が運転者によって操作されると、前マスターシリンダー１７５３ｒは作動して液圧を発生し、発生した液圧は、前ブレーキホース１７０４を介して液圧制御ユニット１７５５に伝えられ、液圧制御ユニット１７５５は、伝えられた液圧に応じた液圧を右キャリパ１７２２に右前ブレーキホース１７２４を介して伝え、右前ブレーキ１０７２は作動するとともに、液圧制御ユニット１７５５は、伝えられた液圧に応じた液圧を左キャリパ１７１２に左ブレーキホース１７１４を介して伝え、左前ブレーキ１０７１は作動するものであって、
　入力部材１７５１がハンドルバー１０２３の端部に設けられ、
左緩衝器１０３３は、左下部１０３３ａを有し、左前輪１０３１は左下部１０３３ａに支持されており、右緩衝器１０３４は、右下部１０３４ａを有し、右前輪１０３２は右下部１０３４ａに支持されている、
　車両１００１。」
（２）引用文献２
ア．同じく原査定の拒絶の理由である、平成２９年１１月１０日付けの拒絶理由通知における拒絶の理由において引用された引用文献２（以下、単に「引用文献２」という。）には、図面とともに次の事項が記載されている。
（２ａ）１頁左下欄　３．発明の詳細な説明　１〜２行
「本発明は
自動二輪車
（２ｂ）１頁右下欄１２行〜１５行
「本発明は叙上事情に鑑みてなされたもので、その目的とする処は
防振効果に優れ、しかもハンドルのぐらつきを有効に防止し得るようにしたハンドル支持構造を提供すること
（２ｃ）１頁右下欄１６行〜２頁左上欄２行
「
本発明実施の一例を図面により説明すると、第１図において（１）は前輪（２）を支持するフロントフオーク、（３）はフロントフオーク（１）をその中間部で連結する下ブラケツト、（４）はフロントフオーク（１）をその上端部で連結する上ブラケツト、（５）はハンドルである。
（２ｄ）２頁左上欄２行〜１６行
「（６）は前記上ブラケツト（４）に挿着された保持部材であり、ハンドル（５）を支持するようにするが、その支持構造を第２図に拡大して示す
。保持部材（６）は上側部材（６ａ）と下側部材（６ｂ）に分割して構成され
下側部材（６ｂ）の挿着部（６ｂ
１
）は上ブラケツト（４）の挿着孔（４ａ）に遊嵌する軸状とされ
（７）は前記挿着部（６ｂ
１
）外周に嵌め合う内筒であり
（２ｅ）２頁左上欄１７行〜２頁右上欄６行
「しかして、前記
ナツト（９）を締め付けることにより内筒（７）がワツシヤ（８）と下側部材（６ｂ）の挿着部（６ｂ
１
）上端に連なる平坦部（６ｂ
２
）との間に挾持されて固定される
（１０）は前記内筒（７）とその外周に設けられる外筒（１１）との間に保持された弾性部材であり、内外筒（７）（１１）間にゴム材を射出してなる。
（２ｆ）２頁右上欄７〜１０行
「一方、前記
外筒（１１）は内筒（７）よりも短い筒体であつて弾性部材（１０）を介して内筒（７）に一体に連結され、上ブラケツト（４）の挿着孔（４ａ）に圧入されて、それに嵌め合い固定されている
（２ｇ）２頁左下欄３行〜５行
「一方、上側部材（６ａ）は間にハンドル（５）の水平杆部（５ａ）を挾んで下側部材（６ｂ）にボルト（１４）により連結され、ハンドル（５）を固定するようにする。」
（２ｈ）２頁左下欄６〜７行
「斯くて
ハンドル（５）は上記保持部材（６）を介して上ブラケツト（４）に支持される
（２ｉ）２頁左下欄８〜１１行
「しかして、斯る支持構造とされた
ハンドル（５）は上ブラケツト（４）からの振動が弾性部材（１０）によつて吸収されることによりその振動が防止される
（２ｊ）引用文献２には、以下の図が示されている。
イ．上記摘記事項及び第１〜３図から、引用文献２には、次の事項が認定できる。
ａ．引用文献２に記載の技術は、「自動二輪車のハンドル支持構造に関する」ものであり（摘記（２ａ））、「防振効果に優れ、しかもハンドルのぐらつきを有効に防止し得るようにしたハンドル支持構造を提供する」ことを課題とする（摘記（２ｂ））。
ｂ．ハンドル（５）は上ブラケツト（４）からの振動が弾性部材（１０）によつて吸収されることによりその振動が防止されるものであること（摘記（２ｉ））。
ｃ．上記摘記（２ｃ）及び第１図の図示内容を参酌すると、以下の事項が理解できる。
　上ブラケツト（４）はフロントフオーク（１）をその上端部で連結し、フロントフオーク（１）は前輪（２）を支持するものであるとともに（摘記（２ｃ）、第１図）、ハンドル（５）の両端部にグリップが設けられていること（第１図）。
ｄ．上記摘記（２ｄ）の「保持部材（６）は上側部材（６ａ）と下側部材（６ｂ）に分割して構成されており」、「下側部材（６ｂ）の挿着部（６ｂ１）は上ブラケツト（４）の挿着孔（４ａ）に遊嵌する軸状とされ」、「（７）は前記挿着部（６ｂ１）外周に嵌め合う内筒であり」との記載、
　上記摘記（２ｅ）の「ナツト（９）を締め付けることにより内筒（７）がワツシヤ（８）と下側部材（６ｂ）の挿着部（６ｂ１）上端に連なる平坦部（６ｂ２）との間に挾持されて固定される」、「（１０）は前記内筒（７）とその外周に設けられる外筒（１１）との間に保持された弾性部材であり、内外筒（７）（１１）間にゴム材を射出してなる」との記載、及び、
　上記摘記（２ｆ）の「外筒（１１）は内筒（７）よりも短い筒体であつて弾性部材（１０）を介して内筒（７）に一体に連結され、上ブラケツト（４）の挿着孔（４ａ）に圧入されて、それに嵌め合い固定されている」との記載、
　及び、第１図〜第３図の図示内容を参酌すると、以下の事項が理解できる。
　内外筒（７）（１１）間にゴム材を射出してなる弾性部材（１０）は、内筒（７）とその外周に設けられる外筒（１１）との間に保持され、
　外筒（１１）は上ブラケツト（４）の挿着孔（４ａ）に圧入されて、それに嵌め合い固定され、
　内筒は上側部材（６ａ）と下側部材（６ｂ）に分割して構成された保持部材（６）の下側部材（６ｂ）の挿着部（６ｂ１）外周に嵌め合うものであり、
　ナツト（９）を締め付けることにより内筒（７）がワツシヤ（８）と下側部材（６ｂ）の挿着部（６ｂ１）上端に連なる平坦部（６ｂ２）との間に挾持されて固定されること。
ｅ．ハンドル（５）は上記保持部材（６）を介して上ブラケツト（４）に支持されること（上記摘記（２ｇ））。
２．対比・判断
（１）対比
　本件補正後の特許請求の範囲の請求項１に係る発明（以下、「本件発明１」という。）と引用発明とを対比する。
ａ．引用発明の「車両１００１」は、本願発明１の「車両」に相当する。
ｂ．引用発明の「車両１００１」が備える「車体フレーム１０２１」は、本願発明１の「車両」が有する「車体フレーム」に相当する。
ｃ．引用発明の「右前輪１０３２」は、本願発明１の「右前輪」に相当し、引用発明の「左前輪１０３１」は本願発明１の「左前輪」に相当する。
　また、上記ｂ．の対比を踏まえると、引用発明の「車体フレーム１０２１が直立状態の車両１００１を前方から見て、車体フレーム１０２１の左右方向に並ぶ右前輪１０３２および左前輪１０３１」は、本願発明１の「前記車体フレームの左右方向に並んで設けられた右前輪および左前輪」に相当する。
ｄ．引用発明の「制動力」は本願発明１の「ブレーキ力」に相当するから、引用発明の「右前輪１０３２の制動力を発生させる右前ブレーキ１０７２」は、「右前輪１０３２」にブレーキ力を付与可能であるということができ、引用発明の「左前輪１０３１の制動力を発生させる左前ブレーキ１０７１」は、「左前輪１０３１」にブレーキ力を付与可能であるということができる。
　そして、上記ｃ．の対比を踏まえると、引用発明の「右前輪１０３２の制動力を発生させる右前ブレーキ１０７２」は、本願発明１の「前記右前輪にブレーキ力を付与可能な右ブレーキ装置」に相当し、引用発明の「左前輪１０３１の制動力を発生させる左前ブレーキ１０７１」は、本願発明１の「前記左前輪にブレーキ力を付与可能な左ブレーキ装置」に相当する。
ｅ．引用発明の「ハンドルバー１０２３」に備えられた「運転者が把持する右グリップ１００７ｒ」及び「運転者が把持する左グリップ１００７ｌ」は、本願発明１の「運転者が把持するためのグリップ部」に相当する。
ｆ．上記ｅ．で検討したとおり、「ハンドルバー１０２３」には「運転者が把持する右グリップ１００７ｒ」及び「運転者が把持する左グリップ１００７ｌ」が備えられていることを踏まえると、引用発明の「乗員がハンドルバー１０２３を操作する操舵力」は、本願発明１の「前記グリップ部に入力された操舵力」に相当するといえる。
　そして、引用発明の「操舵力伝達機構１００６」は、「乗員がハンドルバー１０２３を操作する操舵力を、左ブラケット１３１７および右ブラケット１３２７に伝達するものであって、ステアリングシャフト１０６０が回転すると、タイロッド１０６７が移動し、タイロッド１０６７の移動に伴って、左ブラケット１３１７および右ブラケット１３２７が回転し、さらに、左ブラケット１３１７および右ブラケット１３２７が回転すると、左前輪１０３１が左中心軸Ｙ１を中心として回転し、右前輪１０３２が右中心軸Ｙ２を中心として回転するものであ」るから、「乗員がハンドルバー１０２３を操作する操舵力」は「左前輪１０３１」と「右前輪１０３２」に伝達するものということができる。
　そうすると、引用発明の「操舵力伝達機構１００６」は、本願発明１の「前記グリップ部に入力された操舵力を前記右前輪および前記左前輪に伝達する操舵力伝達機構」に相当する。
ｇ．引用発明の「ステアリングシャフト１０６０」、「ステアリングシャフト１０６０の回転軸線」は、それぞれ、本願発明１の「ステアリングシャフト」、「中間操舵軸線」に相当する。
　また、引用発明の「回転軸線」は、「車体フレーム１０２１の後方かつ上方に延び、さらに、車体フレーム１０２１の前後方向および左右方向と比較して、車体フレームの上下方向に近い傾きで延びて」いるものであり、本願明細書の段落【００３５】の「本明細書において、「車体フレームの上下方向に延びる」とは、車体フレームの上下方向に対して傾いて延びることを含み、車体フレームの前後方向および左右方向と比較して、車体フレームの上下方向に近い傾きで延びることを意味する。」との記載を参酌すれば、本願発明１の「前記車体フレームの上下方向に延びる中間操舵軸線」に相当する。
　さらに、引用発明の「ステアリングシャフト１０６０」が回転軸線回りに回動可能であることは技術的に明らかである。
　そして、上記ｆ．の対比も踏まえると、引用発明の「ステアリングシャフト１０６０」は、本願発明１の「前記車体フレームの上下方向に延びる中間操舵軸線回りに回動可能なステアリングシャフト」に相当する。
ｈ．上記ｇ．の対比も踏まえると、引用発明の「ステアリングシャフト１０６０の上部に連結されたハンドルバー１０２３」は、本願発明１の「前記ステアリングシャフトの上部に設けられたハンドルバー」に相当する。
ｉ．引用発明の「タイロッド１０６７」は、「ステアリングシャフト１０６０が回転すると、タイロッド１０６７の移動に伴って、左ブラケット１３１７および右ブラケット１３２７が回転し、さらに、左ブラケット１３１７および右ブラケット１３２７が回転すると、左前輪１０３１が左中心軸Ｙ１を中心として回転し、右前輪１０３２が右中心軸Ｙ２を中心として回転するもの」であるから、「ステアリングシャフト１０６０の回転」を「右前輪１０３２」及び「左前輪１０３１」に伝達するものといえる。
　そして、上記ｃ．、ｆ．及びｇ．の対比も踏まえると、引用発明の「操舵力伝達機構１００６」の有する「タイロッド１０６７」は、本願発明１の「操舵力伝達機構」が有する「前記ステアリングシャフトの回動を前記右前輪および前記左前輪に伝達するタイロッド」に相当する。
ｊ．引用発明の「入力部材１７５１」は、「ハンドルバー１０２３の端部に設けられる」ものであって、「運転者によって操作されると、前マスターシリンダー１７５３ｒは作動して液圧を発生し、発生した液圧は、前ブレーキホース１７０４を介して液圧制御ユニット１７５５に伝えられ、液圧制御ユニット１７５５は、伝えられた液圧に応じた液圧を右キャリパ１７２２に右前ブレーキホース１７２４を介して伝え、右前ブレーキ１０７２は作動するとともに、液圧制御ユニット１７５５は、伝えられた液圧に応じた液圧を左キャリパ１７１２に左ブレーキホース１７１４を介して伝え、左前ブレーキ１０７１は作動する」ものであるから、上記ｆ．、ｈ．の対比も踏まえると、本願発明１の「前記ハンドルバーの少なくとも一方の端部」に設けられている「前記右ブレーキ装置および前記左ブレーキ装置の少なくとも一方を操作するブレーキ操作子」に相当する。
　また、引用発明の「右グリップ１００７ｒ」は「ハンドルバー１０２３」の「右端部」に備えられ、「左グリップ１００７ｌ」は「ハンドルバー１０２３」の「左端部」に備えられるものである。
　そして、上記ｆ．及びｈ．の対比も踏まえると、引用発明の「右グリップ１００７ｒ」及び「左グリップ１００７ｌ」は、本願発明１の「前記ハンドルバーの少なくとも一方の端部に」設けられている「前記グリップ部」に相当する。
　以上によれば、本願発明１と引用発明との一致点及び相違点は以下のとおりである。
＜一致点＞
「車体フレームと、
　前記車体フレームの左右方向に並んで設けられた右前輪および左前輪と、
　前記右前輪にブレーキ力を付与可能な右ブレーキ装置と、
　前記左前輪にブレーキ力を付与可能な左ブレーキ装置と、
　運転者が把持するためのグリップ部と、
　前記グリップ部に入力された操舵力を前記右前輪および前記左前輪に伝達する操舵力伝達機構と、を有し、
　前記操舵力伝達機構は、
　　前記車体フレームの上下方向に延びる中間操舵軸線回りに回動可能なステアリングシャフトと、
　　前記ステアリングシャフトの上部に設けられたハンドルバーと、
　　前記ステアリングシャフトの回動を前記右前輪および前記左前輪に伝達するタイロッドと、を有し、
　前記ハンドルバーの少なくとも一方の端部に、前記右ブレーキ装置および前記左ブレーキ装置の少なくとも一方を操作するブレーキ操作子と、前記グリップ部とが設けられている、車両。」
＜相違点＞
　本願発明１は、「前記右前輪と路面との間に生じる摩擦力と前記左前輪と路面との間に生じる摩擦力との相違に起因する振動が前記グリップ部に伝達されることを抑制するゴム部品が、前記操舵力伝達機構に設けられている」構成を有しているのに対して、引用発明では、かかる構成を有していない点。
（２）判断
ア．相違点について
　以下、相違点について検討する。
ａ．「振動が前記グリップ部に伝達されることを抑制するゴム部品が、前記操舵力伝達機構に設けられている」構成について
（ａ）引用文献２は、上記１（２）イ．ａ．〜ｃ．によれば、「防振効果に優れ、しかもハンドルのぐらつきを有効に防止し得るようにした自動二輪車のハンドル支持構造」において、「内外筒（７）（１１）間にゴム材を射出してなる弾性部材（１０）は、内筒（７）とその外周に設けられる外筒（１１）との間に保持され、外筒（１１）は上ブラケツト（４）の挿着孔（４ａ）に圧入されて、それに嵌め合い固定され、内筒は上側部材（６ａ）と下側部材（６ｂ）に分割して構成された保持部材（６）の下側部材（６ｂ）の挿着部（６ｂ１）外周に嵌め合うものであり、ナツト（９）を締め付けることにより内筒（７）がワツシヤ（８）と下側部材（６ｂ）の挿着部（６ｂ１）上端に連なる平坦部（６ｂ２）との間に挾持されて固定され、
　ハンドル（５）の両端部にグリップが設けられ、
　ハンドル（５）は上記保持部材（６）を介して上ブラケツト（４）に支持される」との技術が示されている（以下、「引用文献２に記載された技術」という。）。
　引用文献２に記載された技術の「ハンドル（５）」及び「グリップ」は、本願発明１の「ハンドルバー」及び「グリップ部」に相当する。
　引用文献２に記載された技術の「弾性部材（１０）」は、「ハンドル（５）」が支持される「保持部材（６）」の「下側部材（６ｂ）の挿着部（６ｂ１）外周に嵌め合う」「内筒（７）」と、「上ブラケツト（４）の挿着孔（４ａ）に圧入されて、それに嵌め合い固定され」る「外筒（１１）」間に「ゴム材を射出してなる」ものである。
　そして、引用文献２に記載された技術の「上ブラケツト（４）はフロントフオーク（１）をその上端部で連結し、フロントフオーク（１）は前輪（２）を支持するものであるとともに、ハンドル（５）の両端部にグリップ部が設けられて」いるものであり、「前輪（２）」に生じる振動は支持する「フロントフオーク（１）」を介して「上ブラケツト（４）」に伝達されること、「ハンドル（５）」の振動が両端部に連続する「グリップ部」へと伝達されることは技術的に明らかであるから、引用文献２に記載された技術の「弾性部材１０」は、「上ブラケツト（４）からの振動」を吸収して「ハンドル（５）」の「グリップ部」に伝達される「振動が防止されるよう構成」されるものといえる。
　そうすると、引用文献２に記載された技術の「弾性部材１０」は、本願発明１の「振動が前記グリップ部に伝達されることを抑制するゴム部品」であって、「前記操舵力伝達機構に設けられている」ものに相当する。
（ｂ）引用発明に引用文献２に記載された技術を適用する動機付けが存在するかにつき検討する。
（ｂ−１）技術分野及び構造の共通性について
　引用発明と引用文献２に記載された技術とは、いずれも鞍乗型車両に関するものであるから、発明の属する技術分野が共通しており、かつ、両者は上記ａ．にて示したように、前輪を支持する緩衝装置を有し、端部にグリップ部が設けられるハンドルを備えているものである点で構造的にも共通している。そして、引用発明の「ステアリングシャフト１０６０」と引用文献２に記載された技術の「上ブラケツト（４）」とは、「ハンドルバー」が上部に設けられる部材であることで共通するものである。
（ｂ−２）課題について
　前輪を支持する緩衝装置を有し、端部にグリップ部が設けられるハンドルを備える車両において、端部にグリップ部が設けられるハンドルバーに伝達される振動を防止することは周知の技術課題といえる。
　このことは、例えば、自動二輪車の分野において、引用文献２に記載された技術に加え、国際公開第２００８／１２３０５６号にも「路面から前輪に入力される上下動の振動も、フロントフオークからハンドルバーを介してライダに伝達される」（［０００７］）、「路面からの振動がライダに伝達されることを抑制できる自動二輪車を提供することを課題としている」（［０００８］）と記載されることからも裏付けられている。
　そして、引用発明も「左緩衝器１０３３は、左下部１０３３ａを有し、左前輪１０３１は左下部１０３３ａに支持されており、右緩衝器１０３４は、右下部１０３４ａを有し、右前輪１０３２は右下部１０３４ａに支持されている」ものであり、「ハンドルバー１０２３は、その右端部に運転者が把持する右グリップ１００７ｒを備え、ハンドルバー１０２３は、その左端部に運転者が把持する左グリップ１００７ｌを備えるものであ」るところ、引用発明においてもそのような技術課題が内在することは明らかである。
（ｂ−３）以上を併せ考慮すれば、引用発明において、引用文献２に記載された技術を適用する動機付けは充分存在するものといえる。
（ｃ）そうすると、引用発明の「ハンドルバー１０２３」と「ステアリングシャフト１０６０」に、引用文献２に記載された技術を適用して、内外筒間にゴム材を射出してなる弾性部材は、内筒とその外周に設けられる外筒との間に保持され、外筒は「ステアリングシャフト１０６０」の挿着孔に圧入されて、それに嵌め合い固定され、内筒は上側部材と下側部材に分割して構成された保持部材の下側部材の挿着部外周に嵌め合うものであり、ナットを締め付けることにより内筒がワッシャと下側部材の挿着部上端に連なる平坦部との間に挾持されて固定され、「ハンドルバー１０２３」は上記保持部材を介して「ステアリングシャフト１０６０」に支持されるよう構成することで、相違点に係る本願発明１の「振動が前記グリップ部に伝達されることを抑制するゴム部品」であって、「前記操舵力伝達機構に設けられている」ものを備えさせることは、当業者が容易に想到し得たものである。
ｂ．グリップ部に伝達されることを抑制する振動が、「前記右前輪と路面との間に生じる摩擦力と前記左前輪と路面との間に生じる摩擦力との相違に起因する」ものであること（以下、「事項Ａ」ということもある。）について
（ａ）本願発明の「ゴム部品」と引用文献２に記載された技術の「弾性部材１０」との間には、事項Ａの振動を抑制するための構成上の差異は認められないが、効果の予測性の有無として検討する。
（ｂ）引用文献２の上記１（２）（２ｊ）に示した第２図には、「弾性部材１０」が、「内外筒」を相対的に上下、左右、前後いずれにも移動させうる構成が示されている。
　路面から前輪に入力される上下動の振動がフロントフォークからハンドルバーを介して伝達されることは技術常識といえる（以下、「技術常識１」という。）。このことは、上記国際公開第２００８／１２３０５６号の段落［０００７］、［０００８］からも裏付けられている。
　また、ハンドルがフロントフォークに支持されるものにおいて、ハンドルに伝えられる振動に上下、左右、前後いずれの方向の振動も含まれることも技術常識といえる（以下、「技術常識２」という。）。このことは、特開平３−２２４８８８号公報の「ハンドルが弾性体を介してフロントフォークに弾持されることになる」、「車体からハンドルへ伝えられる上下、左右いずれの方向の振動をも弾性体によって緩和することができる」（３頁左下欄２０行〜右下欄４行）との記載、特開２０００−２１９１８４号公報に示される、フロントフォークの上部にハンドルを支持し、ハンドル振動に前後方向成分、左右方向成分、上下方向成分が含まれること（【０００９】、【００１２】、図４）、からも裏付けられている。
　上記技術常識１及び２を踏まえると、引用文献２の「弾性部材１０」が、「内外筒」の相対的な上下、左右、前後の移動を通じて、「内筒（７）」と「下側部材（６ｂ）の挿着部（６ｂ１）外周」が嵌め合う「保持部材（６）」の支持する「ハンドル（５）」の「グリップ」に伝達される上下、左右、前後を含むあらゆる振動を抑制し得ることは技術的に明らかである。
（ｃ）上記（ｂ）を参酌すると、引用発明１に引用文献２に記載された技術を適用した際に設けられる「内外筒間にゴム材を射出してなる弾性部材１０」も、上下、前後又は左右成分を含むあらゆる振動を抑制するものといえる。
（ｄ）他方、「前記右前輪と路面との間に生じる摩擦力と前記左前輪と路面との間に生じる摩擦力との相違に起因する」振動は、「操舵力伝達機構」における「グリップ部」に「ハンドルバー」を介して伝達される際には、「右前輪」、「左前輪」の一方又は双方に起因した振動が連成されて、上下、前後又は左右成分を含むあらゆる振動成分のいずれかを含む振動を生じさせるものと解される。そうすると、引用発明１に引用文献２に記載された技術を適用した際に設けられる「内外筒間にゴム材を射出してなる弾性部材１０」は、上下、前後又は左右成分を含むあらゆる振動成分のいずれかを含む、事項Ａの振動についても、ハンドルバー１０２３と連続する右グリップ１００７ｒ及び左グリップ１００７ｌに伝達されることを抑制するものといえる。
　そうすると、「前記右前輪と路面との間に生じる摩擦力と前記左前輪と路面との間に生じる摩擦力との相違に起因する振動を抑制する」ことは、引用発明に引用文献２に記載された技術を適用した構成である、「振動を抑制するゴム部品が、前記操舵力伝達機構に設けられている」ことから、その構成上当然に奏される効果に留まる事項といえる。
イ．請求人の主張について
　請求人は、審判請求書の４．において、以下のとおり主張している。
「このように、引用文献１，２のいずれにも、本願発明が抑制しようとする振動に関する言及がなく、引用文献１，２から本願発明をする動機が全くありません。したがって、この点のみにおいても、引用文献１，２から本願発明に容易に想到できる理由がありません。」
（以下、「主張１」という。）
「また当然のことですが、このような課題に全く着目していない引用文献１，２のいずれにも、「前記右前輪と路面との間に生じる摩擦力と前記左前輪と路面との間に生じる摩擦力との相違に起因する振動を抑制するゴム部品が、前記操舵力伝達機構に設けられている」構成を教示も示唆もしておらず、引用文献１，２を組み合わせることができたとしても本願発明に容易に想到することはできません。」（以下、「主張２」という。）
「さらに言えば引用文献１，２においては、鞍乗型車両であることと、なんらかの「振動」についての開示があるということしか共通点がありません。引用文献１，２に、振動源、伝達経路、防振したい対象、の何れにおいても共通点は見られません。したがって、当業者にとっても、引用文献１，２を組み合わせる動機づけがなく、審査官殿の見解には同意できません。」（以下、「主張３」という。）
ａ．主張１、３について
　上記ア．ａ．（ｂ）にて示したように、引用発明において、引用文献２に記載された技術を適用する動機付けは充分存在するものといえるから、出願人の主張を採用することはできない。
ｂ．主張２について
　上記ア．ｂ．にて示したように、引用発明に引用文献２に記載された技術を適用した構成と本願発明１との間に、「ゴム部品がグリップ部に伝達されることを抑制する振動」についての「前記右前輪と路面との間に生じる摩擦力と前記左前輪と路面との間に生じる摩擦力との相違に起因する振動」であることの特定を除いた構成上の差異は見いだせず、「前記右前輪と路面との間に生じる摩擦力と前記左前輪と路面との間に生じる摩擦力との相違に起因する振動を抑制する」ことは、引用発明に引用文献２に記載された技術を適用した構成である、「振動を抑制するゴム部品が、前記操舵力伝達機構に設けられている」ことから、その構成上当然に奏される効果に留まる事項といえるから、出願人の主張を採用することはできない。
　よって、請求人の主張は採用できない。
３．小括
　以上のとおり、本願発明は、引用発明及び引用文献２に記載された技術に基いて当業者が容易に発明をすることができたものである。
第５　むすび
　以上のとおり、本願発明１は、特許法第２９条第２項の規定により特許を受けることはできない。
　したがって、他の請求項に係る発明及び他の理由について検討するまでもなく、本願は、原査定の理由１（特許法第２９条第２項）により拒絶すべきものである。
　よって、結論のとおり審決する。